(57)【要約】【課題】障子や取り付け部品が共通化できかつ要求される断熱性能に容易に対応可能な建具を提供すること。【解決手段】第１の下枠１２と第２の下枠とにおいて、室内側レール１２１Ａおよび室外側レール１２１Ｂの上端高さ位置および見込み位置およびレール間隔寸法が略同一に設定されているので、障子や風止板１２Ｇが共通化できて部品点数を削減することができる。そして、下枠１２に設ける連通孔や水抜き孔、部品取付用の孔などの位置も同一にすることができ、これらの各孔を加工するための加工工程や加工装置も共通化することができる。さらに、要求される断熱性能に応じて第１の下枠１２と第２の下枠とを適宜に使い分けることで、大きな設計変更をしなくても断熱性能を変更することができ、容易に利用者の要求に応じて設計の自由度を高めることができる。【選択図】図３
2008127903.tif 000002
【特許請求の範囲】
【請求項１】
上枠、下枠、および左右の縦枠を有する窓枠と、この窓枠内に開閉自在に支持される少なくとも室内外一対の障子とを備えた建具であって、
前記下枠には、前記室内側の障子を案内する室内側レールと、前記室外側の障子を案内する室外側レールとが設けられており、
前記下枠は、
前記室内側レールを有した金属製室内部材と、前記室外側レールを有した金属製室外部材と、これらの室内部材と室外部材とを連結する樹脂製断熱部材とを備えた第１の下枠、
および、
前記室内側レールおよび室外側レールを有した金属製室外部材と、この室外部材よりも室内側に位置する金属製室内部材と、これらの室内部材と室外部材とを連結する樹脂製断熱部材とを備えた第２の下枠、
のいずれか一方で構成され、
前記第１の下枠および第２の下枠において、互いの前記室内側レールの上端が略同一高さ位置とされ、かつ互いの室外側レールの上端が略同一高さ位置とされるとともに、当該室内側レールと室外側レールとの間隔寸法が略同一寸法とされ、当該室内側レールと室外側レールとの間隔部分の凹部底面が略同一形態とされた建具。
【請求項２】
前記第１の下枠および第２の下枠のうち、少なくとも第１の下枠における室内側レールと室外側レールとの間隔部分には、前記凹部底面を覆う断熱性能を有した中間カバー部材が着脱可能に設けられ、
前記第１の下枠および第２の下枠において、前記室内側レールおよび室外側レールの少なくとも一方の基端部には、前記中間カバー部材を係止する略同一形態の係止部が形成されている請求項１に記載の建具。
【請求項３】
前記第１の下枠および第２の下枠の前記室内部材には、それぞれ前記室内側レールに対向して上下に延びかつ上端側が室内側に延びて内装材と連結される連結片部が設けられ、
前記第１の下枠および第２の下枠において、互いの前記連結片部が略同一形態とされ、かつ当該連結片部と前記室内側レールとの間隔寸法が略同一寸法とされている請求項１または請求項２に記載の建具。
【請求項４】
前記第１の下枠および第２の下枠のうち、少なくとも一方の下枠における室内側レールと前記連結片部との間隔部分には、断熱性能を有した室内側カバー部材が着脱可能に設けられ、
前記第１の下枠および第２の下枠において、前記室内側レールおよび前記連結片部の少なくとも一方の基端部には、前記室内側カバー部材を係止する略同一形態の室内側係止部が形成されている請求項３に記載の建具。
【請求項５】
前記第１の下枠および第２の下枠の前記室内部材には、それぞれ下方に延びて建物躯体に載置される載置片部が形成され、
前記第１の下枠および第２の下枠において、互いの前記載置片部が前記室内側レールに対して略同一見込み位置に形成されている請求項１から請求項４のいずれかに記載の建具。
【請求項６】
前記第１の下枠における前記室外部材には、前記断熱部材との連結部から下方に延びるとともに室内側に折れ曲がって当該断熱部材の下方に位置し、建物躯体に固定される固定片部が設けられ、
前記第２の下枠における前記室外部材には、前記断熱部材との連結部から下方に延びるとともに室外側に折れ曲がって当該断熱部材よりも室外側下方に位置し、建物躯体に固定される固定片部が設けられ、
前記第１の下枠および第２の下枠において、互いの前記固定片部が前記室内側レールに対して略同一見込み位置に形成されている請求項１から請求項５のいずれかに記載の建具。
【発明の詳細な説明】
【技術分野】
【０００１】
本発明は、窓枠内に開閉自在に支持される室内外一対の障子を備えた引違い窓等の建具に関する。
【背景技術】
【０００２】
引違い窓等の建具における窓枠の枠材（上枠、下枠、縦枠）として、室内外の金属部材と、これらを連結する樹脂製の断熱部材とを有して形成された断熱枠が利用されている（例えば、特許文献１参照）。
特許文献１に記載された断熱枠において、例えば下枠は、室内障子を案内する室内側レール（内レール）が形成された金属製の室内部材と、室外障子を案内する室外側レール（外レール）が形成された金属製の室外部材と、これらの室内部材と室外部材とを連結する樹脂製の断熱部材とを有して構成されている。このような断熱枠によれば、断熱部材よりも室内側に位置する室内部材に室内側レールが設けられているので、冬季における室内外の温度差が大きい場合でも、障子閉鎖時に室内空間に位置する室内部材（室内側レール）での結露の発生が防止でき、窓枠の断熱性能を高めることができるようになっている。
また、特許文献１に記載された建具では、下枠における室内外の障子の召合せ部に気密部材（風止板）が取り付けられており、この気密部材と、室内側レールの室外面、室外側レールの室内面、断熱部材の上面、および室内外のレールの間の凹溝部分とが密接し、かつ気密部材と室内外の障子とが摺接することで、障子閉鎖時における召合せ部の気密性、水密性を高めることができるようになっている。
【０００３】
【特許文献１】特開２００２−１３８７６１号公報
【発明の開示】
【発明が解決しようとする課題】
【０００４】
しかしながら、前記特許文献１に記載されたような従来の建具では、室内部材に室内側レールが形成された一種類かつ専用の下枠しか用意されておらず、設計上要求される断熱性能に応じて他の形態の下枠を用いることが困難になってしまう。すなわち、他の形態の下枠を用いる場合には、室内外のレール位置が相違したり、気密部材や障子ストッパの形態が相違したりするため、下枠ごとに障子や取り付け部品等を準備しなければならず、構成部材の点数が増大してしまうという問題がある。また、室内側レールよりも室外側に断熱部材が位置することから、室内外のレール間の凹溝部分に断熱部材が露出することとなるため、従来の下枠では、レール間を覆うカバー部材（断熱性カバー）等が必須となり、さらに部品点数が増加してしまうという問題もある。
【０００５】
本発明の目的は、障子や取り付け部品が共通化できかつ要求される断熱性能に容易に対応可能な建具を提供することにある。
【課題を解決するための手段】
【０００６】
本発明の建具は、上枠、下枠、および左右の縦枠を有する窓枠と、この窓枠内に開閉自在に支持される少なくとも室内外一対の障子とを備えた建具であって、前記下枠には、前記室内側の障子を案内する室内側レールと、前記室外側の障子を案内する室外側レールとが設けられており、前記下枠は、前記室内側レールを有した金属製室内部材と、前記室外側レールを有した金属製室外部材と、これらの室内部材と室外部材とを連結する樹脂製断熱部材とを備えた第１の下枠、および、前記室内側レールおよび室外側レールを有した金属製室外部材と、この室外部材よりも室内側に位置する金属製室内部材と、これらの室内部材と室外部材とを連結する樹脂製断熱部材とを備えた第２の下枠、のいずれか一方で構成され、前記第１の下枠および第２の下枠において、互いの前記室内側レールの上端が略同一高さ位置とされ、かつ互いの室外側レールの上端が略同一高さ位置とされるとともに、当該室内側レールと室外側レールとの間隔寸法が略同一寸法とされ、当該室内側レールと室外側レールとの間隔部分の凹部底面が略同一形態とされたことを特徴とする。
【０００７】
ここで、本発明の建具において、上枠や縦枠は、下枠と同様に断熱部材を介して室内部材と室外部材とが連結された断熱枠であってもよく、また金属製の一体成形枠であってもよい。また、本発明の建具において、窓枠に支持される障子の框材は、断熱部材で室内部材と室外部材とが連結された框材や、金属製の一体成形された框材、あるいは金属製の室外部材と樹脂製（または木製）の室内部材とが連結された框材のいずれであってもよい。
【０００８】
以上の本発明によれば、室内部材に室内側レールが形成される、つまり室内側レールよりも室外側に樹脂製断熱部材が位置した第１の下枠と、室外部材に室内側レールが形成される、つまり室内側レールよりも室内側に樹脂製断熱部材が位置した第２の下枠とにおいて、室内側および室外側の各レールの高さ位置と、室内外のレールの間隔寸法と、室内外のレールの間隔部分の凹部底面形態とがそれぞれ略同一に設定される。すなわち、第１および第２の下枠において、室内外のレールを含んだ上面部の外形が共通化されるようになっている。従って、第１および第２の下枠のいずれの下枠を用いて窓枠を構成した場合であっても、室内外の障子を案内する高さ位置および見込み位置が共通化できるとともに、室内外のレール間に設けられる気密部材（風止板等）や障子ストッパ等の取り付け部品が共通化できる。さらに、下枠に設ける連通孔や水抜き孔、部品取付用の孔などの位置も同一にすることができ、これらの各孔を加工するための加工工程や加工装置も共通化することができる。すなわち、本発明において、略同一高さ位置、略同一寸法、略同一形態とは、下枠で支持する障子や、下枠に取り付ける各種の取り付け部品、下枠に施す孔加工などが共通化できる程度に同一であることを意味し、調整可能な範囲での位置やサイズの差異、あるいは部材や部品の寸法誤差が含まれていてもよい。
【０００９】
また、室内側レールよりも室外側に樹脂製断熱部材が位置した第１の下枠は、室内側レールが室外部材に形成された第２の下枠よりも断熱性が高い、つまり第１の下枠では、断熱部材によって室内レールへの外気温の伝導が抑制されるため、障子閉鎖時に室内空間に位置する室内レール位置での結露を防止することができる。従って、第１の下枠は、第２の下枠よりも寒冷地での使用に適する、一方、第２の下枠は、第１の下枠ほどの断熱性能が必要とされない場合に適用すればよく、すなわち要求される断熱性能に応じて第１の下枠と第２の下枠とを適宜に使い分けることで、大きな設計変更をしなくても容易に利用者の要求に応じることができ、設計の自由度を高めることができる。
【００１０】
この際、本発明の建具では、前記第１の下枠および第２の下枠のうち、少なくとも第１の下枠における室内側レールと室外側レールとの間隔部分には、前記凹部底面を覆う断熱性能を有した中間カバー部材が着脱可能に設けられ、前記第１の下枠および第２の下枠において、前記室内側レールおよび室外側レールの少なくとも一方の基端部には、前記中間カバー部材を係止する略同一形態の係止部が形成されていることが好ましい。
このような構成によれば、第１の下枠における室内外のレール間の凹部底面に露出する断熱部材を中間カバー部材で覆うことで、断熱部材の劣化を防ぐとともに、第１の下枠の意匠性を向上させることができる。さらに、中間カバー部材を係止する係止部を第１の下枠における室内側レールや室外側レールの基端部に形成するとともに、この係止部と略同一形態の係止部を第２の下枠にも形成しておくことで、第２の下枠に中間カバー部材に取り付けることも可能になり、第１の下枠と第２の下枠との意匠を統一することができる。ここで、略同一形態の係止部としては、共通の中間カバー部材が係止できる程度に同一の形態に形成されたものであればよい。
【００１１】
また、本発明の建具では、前記第１の下枠および第２の下枠の前記室内部材には、それぞれ前記室内側レールに対向して上下に延びかつ上端側が室内側に延びて内装材と連結される連結片部が設けられ、前記第１の下枠および第２の下枠において、互いの前記連結片部が略同一形態とされ、かつ当該連結片部と前記室内側レールとの間隔寸法が略同一寸法とされていることが好ましい。
このような構成によれば、第１の下枠および第２の下枠に略同一形態の連結片部を形成したことで、床材などの内装材との収まりを共通化することができ、内装材との固定作業の作業手順も共通化することで施工性を向上させることができる。また、第１の下枠および第２の下枠とで連結片部と室内側レールとの間隔寸法を略同一寸法としたことで、この間隔部分に設けられる障子ストッパ等の取り付け部品が共通化できる。ここで、略同一形態の連結片部としては、内装材との収まりが共通化できる程度に同一の形態に形成されたものであればよく、また略同一寸法の間隔寸法としては、連結片部と室内側レールとの間に共通の取り付け部品が取付可能な程度に同一とされていればよい。
【００１２】
この際、本発明の建具では、前記第１の下枠および第２の下枠のうち、少なくとも一方の下枠における室内側レールと前記連結片部との間隔部分には、断熱性能を有した室内側カバー部材が着脱可能に設けられ、前記第１の下枠および第２の下枠において、前記室内側レールおよび前記連結片部の少なくとも一方の基端部には、前記室内側カバー部材を係止する略同一形態の室内側係止部が形成されていることが好ましい。
このような構成によれば、第１および第２の下枠における室内側レールと連結片部との間隔を室内側カバー部材で覆うことで、連結片部位置に結露水が生じた場合でも、この結露水を室内側に露出させないようにできるとともに、第２の下枠に室内側カバー部材を取り付けて断熱部材を覆うことで、その意匠性を向上させることができる。さらに、室内側カバー部材を係止する室内側係止部を、第１の下枠と第２の下枠とで略同一形態にしたことで、共通の室内側カバー部材を取り付けることができる。ここで、略同一形態の室内側係止部としては、共通の室内側カバー部材が係止できる程度に同一の形態に形成されたものであればよい。
【００１３】
また、本発明の建具では、前記第１の下枠および第２の下枠の前記室内部材には、それぞれ下方に延びて建物躯体に載置される載置片部が形成され、前記第１の下枠および第２の下枠において、互いの前記載置片部が前記室内側レールに対して略同一見込み位置に形成されていることが好ましい。
このような構成によれば、第１の下枠および第２の下枠における室内部材の略同一見込み位置に載置片部を形成したことで、建物躯体との収まりを共通化することができ、下枠の設置作業の作業手順も共通化することで施工性を向上させることができる。ここで、略同一見込み位置の載置片部としては、建物躯体との収まりが共通化できる程度に同一の見込み位置に形成されたものであればよい。
【００１４】
さらに、本発明の建具では、前記第１の下枠における前記室外部材には、前記断熱部材との連結部から下方に延びるとともに室内側に折れ曲がって当該断熱部材の下方に位置し、建物躯体に固定される固定片部が設けられ、前記第２の下枠における前記室外部材には、前記断熱部材との連結部から下方に延びるとともに室外側に折れ曲がって当該断熱部材よりも室外側下方に位置し、建物躯体に固定される固定片部が設けられ、前記第１の下枠および第２の下枠において、互いの前記固定片部が前記室内側レールに対して略同一見込み位置に形成されていることが好ましい。
このような構成によれば、第１の下枠および第２の下枠における室外部材に室内側レールに対して略同一見込み位置に固定片部を形成したことで、建物躯体との収まりを共通化することができ、下枠の設置作業の作業手順も共通化することで施工性を向上させることができる。また、第１の下枠の固定片部を、室外部材における断熱部材との連結部から下方に延びるとともに室内側に折れ曲がって断熱部材の下方に形成し、第２の下枠の固定片部を、室外部材における断熱部材との連結部から下方に延びるとともに室外側に折れ曲がって断熱部材よりも室外側下方に形成したことで、断熱部材の位置が相違する第１および第２の下枠において、略同一の見込み位置に固定片部を形成することができる。ここで、略同一見込み位置の固定片部としては、建物躯体との収まりが共通化できる程度に同一の見込み位置に形成されたものであればよい。
【発明を実施するための最良の形態】
【００１５】
以下、本発明の実施形態を図面に基づいて説明する。
図１は、本発明の実施形態に係る建具である第１の引違い窓１を示す縦断面図である。図２は、引違い窓１を示す横断面図である。図３は、引違い窓１の下枠１２を拡大して示す縦断面図である。
図１〜図３において、引違い窓１は、戸建て住宅等の建物の外壁開口部に設けられて建物の室内空間と室外空間とを仕切る建具である。
【００１６】
引違い窓１は、上枠１１、下枠１２、および左右の縦枠１３を四周枠組みした窓枠１０と、この窓枠１０の内側に左右スライド開閉自在に支持された室内外一対の障子１４（室内側障子１４Ａおよび室外側障子１４Ｂ）と、障子１４の室外側に開閉自在に支持された網戸１９とを備えて構成されている。上枠１１は、それぞれアルミ形材製の室内部材１１Ａおよび室外部材１１Ｂと、これらを連結する樹脂製の断熱部材１１Ｃと、室内部材１１Ａの室内側露出面を覆って取り付けられた樹脂製のカバー部材１１Ｄとを有して構成されている。下枠１２は、それぞれアルミ形材製の室内部材１２Ａおよび室外部材１２Ｂと、これらを連結する樹脂製の断熱部材１２Ｃとを有して構成されている。縦枠１３は、アルミ形材製の縦枠本体１３Ａと、この縦枠本体１３Ａの室内側露出面を覆って取り付けられた樹脂製のカバー材１３Ｂとを有して構成されている。すなわち、窓枠１０は、室内外の温度差が伝達されにくく室内面に発生する結露を抑制可能な断熱窓枠である。
【００１７】
障子１４は、上框１５、下框１６、および左右の縦框１７（１７Ａ，１７Ｂ，１７Ｃ，１７Ｄ）を四周框組みした内部に、ガラスパネル（複層ガラス）１８を嵌め込んで構成されている。室内外の障子１４Ａ，１４Ｂは、それぞれ戸先框である縦框１７Ａ，１７Ｄを縦枠１３に当接するとともに、召合せ框である縦框１７Ｂ，１７Ｃが見込み方向に重なって閉じるようになっている。上框１５および下框１６は、それぞれアルミ形材製の上框本体および下框本体と、この上框本体および下框本体の室内側露出面を覆って取り付けられた樹脂製の室内部材とを有して構成されている。縦框１７Ａ，１７Ｃ，１７Ｄは、それぞれアルミ形材製の縦框本体と、この縦框本体の室内側露出面を覆って取り付けられた樹脂製の室内部材とを有して構成されている。また、縦框１７Ｂ，１７Ｃには、互いに係合して障子１４を施錠するためのクレセント錠および錠受けが固定されている。
【００１８】
次に、図３に基づいて、第１の下枠である下枠１２について詳しく説明する。
下枠１２には、室内外の障子１４Ａ，１４Ｂの戸車をそれぞれ案内する室内側レール１２１Ａおよび室外側レール１２１Ｂが形成されている。室内側レール１２１Ａは、室内部材１２Ａの室外側端部に位置した断熱部材１２Ｃとの連結部１２１Ａから上方に突出して形成され、室外側レール１２１Ｂは、室外部材１２Ｂの室外側端部近傍位置から上方に突出して形成されている。これらの室内側レール１２１Ａおよび室外側レール１２１Ｂは、互いの上端が略同一高さ位置に設けられており、つまり上面略フラットな下枠１２が構成されるようになっている。また、下枠１２には、室内側レール１２１Ａよりも室内側の室内部材１２Ａ上面を覆う室内側カバー部材１２Ｄと、室内側レール１２１Ａと室外側レール１２１Ｂとの間隔部分（断熱部材１２Ｃおよび中間底面部１２３Ｂで構成された凹部底面）の上面を覆う中間カバー部材１２Ｅとが、それぞれ着脱可能に取り付けられている。
【００１９】
下枠１２の室内部材１２Ａには、室内側レール１２１Ａの基端部である連結部１２２Ａから室内側に延びる段付き状の室内側底面部１２３Ａと、この室内側底面部１２３Ａの室内側端部から上方に延びかつ上端側が室内側に延びて床材と連結される連結片部１２４Ａとが設けられている。さらに、室内部材１２Ａには、連結片部１２４Ａに連続して室内側底面部１２３Ａよりも下方に延びる第１載置片部１２５Ａと、室内側底面部１２３Ａの中間位置から下方に延びる第２載置片部１２６Ａとが形成され、これらの第１および第２載置片部１２５Ａ，１２６Ａが建物躯体に載置されるようになっている。また、室内部材１２Ａの室内側底面部１２３Ａにおける段付き部上面室外側には、室内側カバー部材１２Ｄを係止する室内側係止部１２７Ａが形成され、室内側レール１２１の基端部室外側には、中間カバー部材１２Ｅを係止する中間係止部１２８Ａが形成されている。さらに、室内部材１２Ａの室内側底面部１２３Ａにおける段付き部下面室内側には、当該下枠１２を縦枠１３に固定するためのビスホール１２９Ａが形成されている。
【００２０】
下枠１２の室外部材１２Ｂには、断熱部材１２Ｃとの連結部１２２Ｂから室外側下方に傾斜して延びる中間底面部１２３Ｂと、この中間底面部１２３Ｂの下方に対向し下枠１２の下面を形成する下枠底面部１２４Ｂと、連結部１２２Ｂから下方に延びるとともに室内側に折れ曲がって断熱部材１２Ｃの下方に位置する固定片部１２５Ｂとが形成されている。この固定片部１２５Ｂは、図１に示すように、建物躯体である外壁の側面にビス止め固定される部分である。さらに、室外部材１２Ｂには、中間底面部１２３Ｂの室外側端部と下枠底面部１２４Ｂとを連結する下枠前面部１２６Ｂが形成され、この下枠前面部１２６Ｂよりも若干室内側に偏心した位置の中間底面部１２３Ｂから上方に延びて室外側レール１２１Ｂが形成されている。また、室外側レール１２１Ｂの途中位置には、室外側に延びるとともに上方に折れ曲がった網戸レール１２７Ｂが形成されており、中間底面部１２３Ｂ、下枠底面部１２４Ｂ、固定片部１２５Ｂおよび下枠前面部１２６Ｂで囲まれた内部には、下枠中空部１２８Ｂが形成されている。そして、下枠底面部１２４Ｂと固定片部１２５Ｂとの交差位置、および中間底面部１２３Ｂと下枠前面部１２６Ｂとの交差位置には、それぞれ当該下枠１２を縦枠１３に固定するためのビスホール１２９Ｂが形成されている。一方、図１に示すように、下枠底面部１２４Ｂ、下枠前面部１２６Ｂおよび網戸レール１２７Ｂで三方を囲まれた下枠１２の室外側側面には、図１に示すように排水部材（排水弁）１２Ｆが取り付けられている。
【００２１】
また、室内側カバー部材１２Ｄおよび中間カバー部材１２Ｅは、それぞれ樹脂製の取付部材（アタッチメント）であって、下枠１２の長手方向に沿った長尺状に形成されている。室内側カバー部材１２Ｄは、室内部材１２Ａの連結片部１２４Ａ上面を覆う第１上面部１２１Ｄと、室内側底面部１２３Ａ上方を覆う第２上面部１２２Ｄと、第２上面部１２２Ｄから下方に延びて室内側係止部１２７Ａに係止される被係止片部１２３Ｄとを有して形成されている。一方、中間カバー部材１２Ｅは、室内側レール１２１Ａと室外側レール１２１Ｂとの間に渡って断熱部材１２Ｃおよび中間底面部１２３Ｂの上面を覆う上面部１２１Ｅと、上面部１２１Ｅの室内側端部から下方に延びて中間係止部１２８Ａに係止される被係止片部１２２Ｅと、上面部１２１Ｅの室外側端部から下方に延びて中間底面部１２３Ｂと室外側レール１２１Ｂとの交差部分に当接される当接片部１２３Ｅとを有して形成されている。
【００２２】
以上のような下枠１２における召合せ部（障子１４Ａ，１４Ｂを閉鎖した際に縦框１７Ｂ，１７Ｃが見込み方向に重なる位置の下方部分）には、障子１４Ａ，１４Ｂの下面に当接して室内外の通気を遮蔽する気密部材としての風止板１２Ｇが取り付けられている。つまり、中間カバー部材１２Ｅは、風止板１２Ｇの位置で左右に分割され、その端面を風止板１２Ｇに当接した状態で取り付けられている。この風止板１２Ｇは、軟質樹脂製の部材であって、下枠１２に密接した状態で取り付けられるベースと、このベースから上方に突出して障子１４Ａ，１４Ｂの下面に当接する複数の突出片とを有して形成されている。そして、風止板１２Ｇのベースは、室内側レール１２１Ａの室外側側面と、断熱部材１２Ｃの上面と、室外部材１２Ｂの中間底面部１２３Ｂと、室外側レール１２１Ｂの室内側側面とにそれぞれ密接し、室内側レール１２１Ａおよび室外側レール１２１Ｂ間において、室外空間と室内空間とを気密状態で仕切ることができるようになっている。
【００２３】
次に、図４は、本発明の実施形態に係る建具である第２の引違い窓２を示す縦断面図である。図５は、引違い窓２を示す横断面図である。図６は、引違い窓２の下枠２２を拡大して示す縦断面図である。
図４〜図６において、引違い窓２は、前記第１の引違い窓１と同様に、戸建て住宅等の建物の外壁開口部に設けられて建物の室内空間と室外空間とを仕切る建具である。
【００２４】
引違い窓２は、上枠２１、下枠２２、および左右の縦枠２３を四周枠組みした窓枠２０と、この窓枠２０の内側に左右スライド開閉自在に支持された室内外一対の障子２４（室内側障子２４Ａおよび室外側障子２４Ｂ）と、障子２４の室外側に開閉自在に支持された網戸２９とを備えて構成されている。上枠２１は、一体のアルミ形材製の上枠本体２１Ａと、上枠本体２１Ａの室内側露出面を覆って取り付けられた樹脂製のカバー部材２１Ｂとを有して構成されている。下枠２２は、それぞれアルミ形材製の室内部材２２Ａおよび室外部材２２Ｂと、これらを連結する樹脂製の断熱部材２２Ｃとを有して構成されている。縦枠２３は、アルミ形材製の縦枠本体２３Ａと、この縦枠本体２３Ａの室内側露出面を覆って取り付けられた樹脂製のカバー材２３Ｂとを有して構成されている。
【００２５】
障子２４は、上框２５、下框２６、および左右の縦框２７（２７Ａ，２７Ｂ，２７Ｃ，２７Ｄ）を四周框組みした内部に、ガラスパネル（複層ガラス）２８を嵌め込んで構成されている。室内外の障子２４Ａ，２４Ｂは、それぞれ戸先框である縦框２７Ａ，２７Ｄを縦枠２３に当接するとともに、召合せ框である縦框２７Ｂ，２７Ｃが見込み方向に重なって閉じるようになっている。上框２５、下框２６および縦框２７は、それぞれアルミ形材製の一体部材で構成されている。そして、縦框２７Ｂ，２７Ｃには、互いに係合して障子２４を施錠するためのクレセント錠および錠受けが固定されている。
【００２６】
次に、図６に基づいて、第２の下枠である下枠２２について詳しく説明する。
下枠２２には、室内外の障子２４Ａ，２４Ｂの戸車をそれぞれ案内する室内側レール２２１Ｂおよび室外側レール２２２Ｂが形成されている。室内側レール２２１Ｂは、室外部材２２Ｂの室内側端部に位置した断熱部材２２Ｃとの連結部２２３Ｂから上方に突出して形成され、室外側レール２２２Ｂは、室外部材２２Ｂの室外側端部近傍位置から上方に突出して形成されている。これらの室内側レール２２１Ｂおよび室外側レール２２２Ｂは、互いの上端が略同一高さ位置に設けられており、つまり上面略フラットな下枠２２が構成されるようになっている。また、下枠２２には、室内側レール２２１Ｂよりも室内側の室内部材２２Ａおよび断熱部材２２Ｃ上面を覆う室内側カバー部材２２Ｄが、着脱可能に取り付けられている。また、下枠２２の室外側側面には、図４に示すように排水部材（排水弁）２２Ｆが取り付けられ、下枠２２における召合せ部には、気密部材としての風止板２２Ｇが取り付けられている。これらの室内側カバー部材２２Ｄ、排水部材２２Ｆおよび風止板２２Ｇは、それぞれ前記室内側カバー部材１２Ｄ、排水部材１２Ｆおよび風止板１２Ｇと同一形態の部材である。
【００２７】
下枠２２の室内部材２２Ａには、連結部２２１Ａから立ち上がって室内側に延びる室内側底面部２２２Ａと、この室内側底面部２２２Ａの室内側端部から上方に延びかつ上端側が室内側に延びて床材と連結される連結片部２２３Ａとが設けられている。さらに、室内部材２２Ａには、連結片部２２３Ａに連続して室内側底面部２２２Ａよりも下方に延びる第１載置片部２２４Ａと、連結部２２１Ａから下方に延びる第２載置片部２２５Ａとが形成され、これらの第１および第２載置片部２２４Ａ，２２５Ａが建物躯体に載置されるようになっている。また、室内部材２２Ａの連結部２２１Ａと室内側底面部２２２Ａとの交差部分には、室内側カバー部材２２Ｄを係止する室内側係止部２２６Ａが形成されている。
【００２８】
下枠２２の室外部材２２Ｂには、断熱部材２２Ｃとの連結部２２３Ｂであり室内側レール２２１Ｂの基端部から室外側に延びかつ下方に傾斜した中間底面部２２４Ｂと、この中間底面部２２４Ｂの下方に対向し下枠２２の下面を形成する下枠底面部２２５Ｂと、連結部２２３Ｂから下方に延びるとともに室外側に折れ曲がって断熱部材２２Ｃよりも室外側下方に位置する固定片部２２６Ｂとが形成されている。この固定片部２２６Ｂは、図４に示すように、建物躯体である外壁の側面にビス止め固定される部分である。さらに、室外部材２２Ｂには、中間底面部２２４Ｂの室外側端部と下枠底面部２２５Ｂとを連結する下枠前面部２２７Ｂが形成され、この下枠前面部２２７Ｂよりも若干室内側に偏心した位置の中間底面部２２４Ｂから上方に延びて室外側レール２２２Ｂが形成されている。また、室外側レール２２２Ｂの途中位置には、室外側に延びるとともに上方に折れ曲がった網戸レール２２８Ｂが形成されている。さらに、室外部材２２Ｂにおける室内側レール２２１Ｂの基端部室外側には、中間係止部２２９Ｂが形成されている。
【００２９】
以上のような第１の引違い窓１と第２の引違い窓２において、第１の下枠１２と第２の下枠２２とは、以下の各部形態や各部寸法が共通化されている。
先ず、下枠１２の室内側レール１２１Ａと室外側レール１２１Ｂとの見込み方向間隔寸法Ｌ１と、下枠２２の室内側レール２２１Ｂと室外側レール２２２Ｂとの見込み方向間隔寸法Ｌ２とは、同一寸法に設定されている。
さらに、下枠１２の室内側レール１２１Ａ上端と、下枠２２の室内側レール２２１Ｂ上端とは、床面に対して同一高さ位置に設定されている。また、下枠１２の室外側レール１２１Ｂ上端と、下枠２２の室外側レール２２２Ｂ上端とは、床面に対して同一高さ位置に設定されている。
以上により、第１の引違い窓１と第２の引違い窓２とにおいて、互いの障子１４，２４が双方の窓枠１０，２０に建て込み可能になっている。
【００３０】
さらに、下枠１２の室内側レール１２１Ａと室外側レール１２１Ｂとの間隔部分の凹部底面である断熱部材１２Ｃおよび中間底面部１２３Ｂの上面形態と、下枠２２の室内側レール２２１Ｂと室外側レール２２２Ｂとの間隔部分の凹部底面である中間底面部２２４Ｂの上面形態とは、互いに同一形態とされている。
以上により、第１の引違い窓１と第２の引違い窓２とにおいて、下枠１２，２２の召合せ部に取り付ける風止板１２Ｇ，２２Ｇが共通化できるようになっている。
また、下枠１２の室外部材１２Ａに形成された網戸レール１２７Ｂと、下枠２２の室外部材２２Ｂに形成された網戸レール２２８Ｂとは、互いの見込み位置および高さ位置が同一に設定されている。
以上により、第１の引違い窓１と第２の引違い窓２とにおいて、互いの網戸１９，２９が双方の窓枠１０，２０に建て込み可能になっている。
【００３１】
次に、下枠１２の連結片部１２４Ａの形態と、下枠２２の連結片部２２３Ａの形態とは、互いに同一形態とされるとともに、下枠１２における室内側レール１２１Ａと連結片部１２４Ａとの間隔寸法と、下枠２２における室内側レール２２１Ｂと連結片部２２３Ａとの間隔寸法とは、同一寸法に設定されている。
また、下枠１２の室内部材１２Ａに形成された第１および第２載置片部１２５Ａ，１２６Ａと、下枠２２の室内部材２２Ａに形成された第１および第２載置片部２２４Ａ，２２５Ａとは、各々の先端（下端）高さ位置および見込み位置が同一に設定されている。
また、下枠１２の室外部材１２Ｂに形成された固定片部１２５Ｂと、下枠２２の室外部材２２Ｂに形成された固定片部２２６Ｂとは、外壁に対する固定位置における先端高さ位置および見込み位置が同一に設定されている。
以上により、第１の引違い窓１と第２の引違い窓２とにおいて、窓枠１０，２０を固定する床材や建物躯体、外壁との取り合いが共通化できるようになっている。
【００３２】
また、下枠１２の室内部材１２Ａに形成された室内側係止部１２７Ａと、下枠２２の室内部材２２Ａに形成された室内側係止部２２６Ａとは、互いの形態および見込み位置が同一に設定されている。また、下枠１２の室内部材１２Ａに形成された中間係止部１２８Ａと、下枠２２の室外部材２２Ｂに形成された中間係止部２２９Ｂとは、互いの形態および見込み位置が同一に設定されている。
以上により、第１の引違い窓１と第２の引違い窓２とにおいて、室内側カバー部材１２Ｄ，２２Ｄが共通化できるようになっている。さらに、第１の下枠１２に取り付けられる中間カバー部材１２Ｅを、第２の下枠２２の室内側レール１２１Ａと室外側レール１２１Ｂとの間隔部分にも取り付けることができるようになっている。
また、下枠１２の室外部材１２Ｂに形成された下枠中空部１２８Ｂと略同一形態となるように、下枠２２の室外部材２２Ｂにおける中間底面部２２４Ｂ、下枠底面部２２５Ｂ、固定片部２２６Ｂおよび下枠前面部２２７Ｂで囲まれた内部に下枠中空部（不図示）が形成されている。
【００３３】
次に、下枠１２の室内部材１２Ａに形成されたビスホール１２９Ａと同一高さ位置かつ同一見込み位置となるように、下枠２２の室内部材２２Ａにおける連結部２２１Ａと室内側底面部２２２Ａとの交差部室内側にビスホール（不図示）が形成されている。
さらに、下枠１２の室外部材１２Ｂに形成された２箇所のビスホール１２９Ｂと同一高さ位置かつ同一見込み位置となるように、下枠２２の室外部材２２Ｂにおける下枠底面部２２５Ｂと固定片部２２６Ｂとの交差位置、および中間底面部２２４Ｂと下枠前面部２２７Ｂとの交差位置にビスホール（不図示）が形成されている。
以上により、第１の引違い窓１と第２の引違い窓２とにおいて、縦枠１３，２３と下枠１２，２２とを相互に組み替えて固定できるようになっている。
【００３４】
このような本実施形態によれば、以下のような効果がある。
（１）すなわち、第１および第２の下枠１２，２２のいずれの下枠においても、室内側レール１２１Ａ，２２１Ｂ同士の上端高さ位置および見込み位置と、室外側レール１２１Ｂ，２２２Ｂ同士の上端高さ位置および見込み位置とが同一に設定されているので、窓枠１０，２０のいずれにも障子１４，２４が建て込み可能にできる。さらに、室内側レール１２１Ａ，２２１Ｂと室外側レール１２１Ｂ，２２２Ｂとの間隔寸法Ｌ１，Ｌ２が同一に設定され、凹部底面の形態が同一に設定されているので、共通の風止板１２Ｇ，２２Ｇが利用できて部品点数を削減することができる。そして、下枠１２，２２に設ける連通孔や水抜き孔、部品取付用の孔などの位置も同一にすることができ、これらの各孔を加工するための加工工程や加工装置も共通化することができる。
【００３５】
（２）また、要求される断熱性能に応じて第１の下枠１２と第２の下枠２２とを適宜に使い分ける、すなわち寒冷地などの高い断熱性能が要求される設置場所の場合には第１の下枠１２を備えた第１の引違い窓１を用い、さほど高い断熱性能が要求されない設置場所の場合には第２の下枠２２を備えた第２の引違い窓２を用いことが可能となる。この際、上述したように、障子１４，２４や取付部材が共通化できるので、大きな設計変更をしなくても、第１および第２の引違い窓１，２のいずれの窓を適用することができ、容易に利用者の要求に応じることができ、設計の自由度を高めることができる。
【００３６】
なお、本発明は、前記実施形態に限定されるものではなく、本発明の目的を達成できる他の構成等を含み、以下に示すような変形等も本発明に含まれる。
例えば、前記実施形態においては、室内外一対の障子１４，２４として室内側障子１４Ａ，２４Ａと室外側障子１４Ｂ，２４Ｂとの２枚の障子を有した引違い窓１，２を例示して説明したが、本発明の建具はこのような引違い窓１，２に限られない。すなわち、本発明の建具は、３枚以上の障子を有する３枚建てや４枚建ての引違い窓でもよく、また、前記実施形態における室内外のいずれか一方の障子が窓枠に固定された片引き窓でもよい。
【００３７】
また、前記実施形態における第１の引違い窓１では、障子１４の上框１５や下框１６、縦框１７Ａ，１７Ｃ，１７Ｄがアルミ形材製の本体と樹脂製の室内部材とを有して構成されていたが、障子１４の框材としてはアルミ形材製単体で構成されたものでもよく、また上枠や下枠と同様にアルミ形材製の室内部材および室外部材と樹脂製の断熱部材とを有して構成されたものでもよい。これと同様に、第２の引違い窓２における障子２４の框材としても、アルミ形材製単体で構成されたもの以外に、アルミ形材製の本体と樹脂製の室内部材とを有して構成されたものや、アルミ形材製の室内部材および室外部材と樹脂製の断熱部材とを有して構成されたものでもよい。
また、前記実施形態の引違い窓１，２では、縦枠１３，２３がアルミ形材製の本体１３Ａ，２３Ａと樹脂製の室内部材１３Ｂ，２３Ｂとを有して構成されていたが、これに限らず、上枠や下枠と同様にアルミ形材製の室内部材および室外部材と樹脂製の断熱部材とを有して縦枠が構成されていてもよい。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３９】
【図１】本発明の実施形態に係る第１の建具を示す縦断面図である。
【図２】前記第１の建具を示す横断面図である。
【図３】前記第１の建具における下枠を拡大して示す縦断面図である。
【図４】前記実施形態に係る第２の建具を示す縦断面図である。
【図５】前記第２の建具を示す横断面図である。
【図６】前記第２の建具における下枠を拡大して示す縦断面図である。
【符号の説明】
【００４０】
１０，２０…窓枠、１１，２１…上枠、１２…第１の下枠、２２…第２の下枠、１２Ａ，２２Ａ…室内部材、１２Ｂ，２２Ｂ…室外部材、１２Ｃ，２２Ｃ…断熱部材、１２Ｄ，２２Ｄ…室内側カバー部材、１２Ｅ…中間カバー部材、１３，２３…縦枠、１４，２４…障子、１２１Ａ，２２１Ｂ…室内側レール、１２１Ｂ，２２２Ｂ…室外側レール、１２２Ａ，１２２Ｂ，２２１Ａ，２２３Ｂ…連結部、１２３Ｂ，２２４Ｂ…中間底面部、１２４Ａ，２２３Ａ…連結片部、１２５Ａ，１２６Ａ，２２４Ａ，２２５Ａ…載置片部、１２５Ｂ，２２６Ｂ…固定片部、１２７Ａ，２２６Ａ…室内側係止部、１２８Ａ，２２９Ｂ…中間係止部。
【図１】
2008127903.tif 000003
【図２】
2008127903.tif 000004
【図３】
2008127903.tif 000005
【図４】
2008127903.tif 000006
【図５】
2008127903.tif 000007
【図６】
2008127903.tif 000008